(57)【要約】【課題】  製品密封後の缶内圧のばらつきに影響を受けないで漏れ検出を行う。【解決手段】  複数の缶２５を梱包したケース２３を搬送路上で個々に識別し、該ケース２３の向きを判定して個々の缶にアドレスを定義する。搬送路上で缶内圧又は内圧に対応する測定対象を測定して各缶２５の測定値を缶のアドレスに対応させ記憶する。搬送路３から移載したケース２３を所定時間放置し、その後にケース２３を搬送路上に移載してケース２３を識別してケース２３の向きを判定することで個々の缶のアドレスを認識した後缶を再測定する。個々の缶２５における所定時間放置前後の測定値の差を求め、その差が所定の値より大きい缶２５を含んだケース２３を不合格と判定する。【選択図】        図１
2004317479.tif 000002
【特許請求の範囲】
【請求項１】
複数の缶を梱包したケースを個々に識別し且つ当該ケースの向きを判定して個々の缶にアドレスを定義する工程と、缶の内圧又は内圧に対応する測定対象を測定して各缶の測定値を当該缶のアドレスに対応させて保持する工程とを備えることを特徴とする密閉缶の検査方法。
【請求項２】
複数の缶を梱包したケースを個々に識別し且つ当該ケースの向きを判定して個々の缶にアドレスを定義する工程と、缶の内圧又は内圧に対応する測定対象を測定して各缶の測定値を当該缶のアドレスに対応させてケースに保持させる工程と、当該保持後、ケースを所定時間放置する工程と、所定時間放置後に前記ケースを再度識別し且つ当該ケースの向きを判定して個々の缶の前記アドレスを認識した後、缶の内圧又は内圧に対応する測定対象を再測定する工程と、個々の缶における所定時間放置前後の測定値の差の大きさに基づいてケースの合否を判定する工程とを備えることを特徴とする密閉缶の検査方法。
【請求項３】
請求項１又は２記載の密閉缶の検査方法において、
前記保持させる工程は、ケースに対し各缶の測定値を含む検査情報を保持させ
ることを特徴とする密閉缶の検査方法。
【請求項４】
請求項１から３のいずれか記載の密閉缶の検査方法において、
前記保持させる工程は、ケースに対し各缶の測定値を含む検査情報をＱＲコードに変換して保持させることを特徴とする密閉缶の検査方法。
【請求項５】
複数の缶を梱包したケースを搬送路上で個々に識別し且つ当該ケースの向きを判定して個々の缶にアドレスを定義する工程と、搬送路上で缶の内圧又は内圧に対応する測定対象を測定して各缶の測定値を当該缶のアドレスに対応させて記憶する工程と、搬送路から移載したケースを所定時間放置する工程と、所定時間放置後にケースを搬送路上に移載して前記ケースを識別し且つ当該ケースの向きを判定することで個々の缶の前記アドレスを認識した後缶の内圧又は内圧に対応する測定対象を再測定する工程と、個々の缶における所定時間放置前後の各缶の測定値の差を求め該測定値の差が所定の値より大きい缶を含んだケースを不合格と判定する工程とからなることを特徴とする密閉缶の検査方法。
【請求項６】
請求項１から５のいずれか記載の密閉缶の検査方法において、
前記缶の内圧又は内圧に対応する測定対象を測定するに際して、前記缶の上端面までの距離を測定すると共に、缶の下面までの距離を測定し、次いで、当該測定したそれぞれの前記距離の大きさに基づいて缶の測定値を求めることを特徴とする密閉缶の検査方法。
【請求項７】
請求項１から６のいずれかに記載の密閉缶の検査方法において、
前記缶をケース内に梱包する前に予め、缶内圧を測定し、この内圧値が所定値以下の缶を排出する工程を有することを特徴とする密閉缶の検査方法。
【請求項８】
ケース内に梱包された複数の缶の内圧又は内圧に対応する測定対象を測定した後に、所定時間放置し、その後、再度当該缶の内圧又は内圧に対応する測定対象を測定し、個々の缶における所定時間放置前後の各缶の測定値の差を求め、該測定値の差に基づいて前記ケースの良否を判定する密閉缶の検査方法であって、
前記ケース内に複数の缶を梱包する前に予め、缶内圧を測定し、この内圧値が所定値以下の缶を排出する工程を有することを特徴とする密閉缶の検査方法。
【請求項９】
内容物密封後の複数の缶が収容されたケースを搬送する搬送路と、該搬送路上のケースを個々に識別し且つ当該ケースの向きを判定して個々の缶にアドレスを定義する缶特定手段と、搬送路上で缶の内圧又は内圧に対応する測定対象を測定する測定手段と、各缶の測定値を当該缶のアドレスに対応させて保持する測定値保持処理手段とを具備したことを特徴とする密閉缶の検査装置。
【請求項１０】
内容物密封後の複数の缶が収容されたケースを搬送する搬送路と、該搬送路上のケースを個々に識別し且つ当該ケースの向きを判定して個々の缶にアドレスを定義する缶特定手段と、缶の内圧又は内圧に対応する測定対象を測定する測定手段と、各缶の測定値を当該缶のアドレスに対応させてケースに保持させる測定値保持処理手段と、ケース内の個々の缶における所定時間放置前後の測定値の差の大きさに基づいて各缶の合否を判定する合否判定手段とを具備したことを特徴とする密閉缶の検査装置。
【請求項１１】
請求項９又は１０記載の密閉缶の検査装置において、
前記測定値保持処理手段は、各缶の測定値を含む検査情報をケースに設けられた表示部に保持させることを特徴とする密閉缶の検査装置。
【請求項１２】
請求項９から１１のいずれか記載の密閉缶の検査装置において、
前記測定値格納手段は、各缶の測定値を含む検査情報をＱＲコードに変換して保持させる機構を具備したことを特徴とする密閉缶の検査装置。
【請求項１３】
内容物密封後の複数の缶が収容されたケースを搬送する搬送路と、該搬送路上のケースを個々に識別し且つ当該ケースの向きを判定して個々の缶にアドレスを定義する缶特定手段と、搬送路上で缶の内圧又は内圧に対応する測定対象を測定する測定手段と、各缶の測定値を当該缶のアドレスに対応させて記憶手段に記憶させる測定値格納処理手段と、缶の前記記憶手段に格納した所定時間放置前における缶の測定値と再測定した缶の測定値との差を求め該測定値の差が所定の値より大きい缶を含んだケースを不合格と判定する合否判定手段とを具備したことを特徴とする密閉缶の検査装置。
【請求項１４】
請求項１３記載の密閉缶の検査装置において、
前記缶特定手段が前記ケースの向きを前後逆と判定したときに該缶特定手段からの信号を受けて、前記ケースを１８０度回転させて該ケースの向きを前後反転させるターンテーブルを、前記搬送路の該缶特定手段と前記測定手段との間に配設したことを特徴とする密閉缶の検査装置。
【請求項１５】
請求項１３記載の密閉缶の検査装置において、
前記缶特定手段が前記ケースの向きを前後逆と判定したときに該缶特定手段からの信号を受けて、前記測定手段が測定した個々の缶における缶の測定値を、前記ケースが正規の向きである場合の缶配列に対応した缶の測定値に並び替える並替手段を、前記測定手段と前記合否判定手段との間に設けたことを特徴とする密閉缶の検査装置。
【請求項１６】
複数の缶を梱包したケースと、当該ケースに設けられ、各缶の内圧情報を有する表示部とを備えることを特徴とする密閉缶を梱包したケース。
【発明の詳細な説明】
【技術分野】
【０００１】
本発明は、密閉缶の検査方法及び検査装置並びに密閉缶を梱包したケースに係り、特にケースに梱包された陽圧缶或いは負圧缶の漏れを検査するのに好適な技術に関する。
【背景技術】
【０００２】
コーヒー等の低炭酸飲料は、アルミニウム製の陽圧缶或いはスチール製の負圧缶に充填、密封され、レトルト殺菌をした後、ケース詰めされてパレットに積み込まれる。ケース詰めされた缶は、７日程度放置した後、ケース毎に所謂打検による缶内圧測定を行い、漏れがないか確認を行うことが多い（例えば、特許文献１参照）。
【特許文献１】特開平１０−２４６６８１号公報
【０００３】
これは、万一、缶に微細なピンホールがある場合、内容物がスローリークするため充填直後に缶内圧を測定しても、缶内圧が充填前とさほど変わらず、リークの有無が分らないという問題があるからである。
ケース詰めし、７日程度放置した缶は、ケースの上から、上記の打検により缶内圧を測定する。そして、予め規定値として設定した所定変形量の値より低い変形量の値の缶が含まれるケースを不合格として取り除く。この際、所定内圧の値を高く設定し過ぎると、実際に漏れの生じていない缶も含んでしまい、不合格率が高くなり、再検査の手間がかかる。また、低く設定し過ぎると、漏れの生じている缶を合格と判定してしまう危険率が高くなる問題がある。このため、従来では、実際に漏れの生じていない缶は含まず、且つ漏れの生じている缶は不合格となるような所定変形量の値を閾値として設定していた。
【発明の開示】
【発明が解決しようとする課題】
【０００４】
しかしながら、製品密封後の缶は、ヘッドスペース（製品の充填されていない空間部）にばらつきが生じており、これに加え、特に陽圧缶の場合にはこのヘッドスペースに封入する液体窒素充填量のばらつきが大きい。即ち、製品密封直後の缶においても、個々の缶の内圧は大きくばらついていた。したがって、例えば、製品密封直後の内圧の値が元々高い缶の場合にはスローリークが生じていても、放置後に所定内圧値である閾値まで内圧が低下せず、漏れの生じている缶を合格と判定してしまう虞があった。この一方、製品密封直後の内圧値が元々低い缶の場合にはスローリークが生じていなくても、放置後に所定内圧値である閾値以下まで内圧が低下してしまい、実際に漏れの生じていない缶であるにもかかわらず不合格と判定してしまう虞があった。また、このことは、負圧缶についても同様のことが言えた。このように、製品密封直後の内圧値に元々ばらつきが生じている場合には、閾値との比較によって漏れの有無を判定するのは困難であり、十分な検出精度が得られないのが現実であった。
【０００５】
本発明は上記状況に鑑みてなされたもので、製品密封直後の内圧値のばらつきに影響を受けることなく漏れ検出が行える密閉缶の検査方法及び検査装置並びに密閉缶を梱包したケースを提供し、検査精度及び検査信頼性の向上を図ることを目的とする。
【課題を解決するための手段】
【０００６】
上記目的を達成するためのこの発明による係る請求項１記載の密閉缶の検査方法は、複数の缶を梱包したケースを個々に識別し且つ当該ケースの向きを判定して個々の缶にアドレスを定義する工程と、缶の内圧又は内圧に対応する測定対象を測定して各缶の測定値を当該缶のアドレスに対応させて保持する工程とを備えることを特徴とする。
【０００７】
この密閉缶の検査方法では、ケースにおける各缶の内圧又は内圧に対応する測定対象が測定されたとき、その測定値が保持される。したがって、ケースに内容物が充填されたときの缶の測定値が保持されるので、製品密封直後の缶が測定されてその測定値が保持された後、一旦、搬送路からケースが放置場所へ移載され、再び放置場所から搬送路に移載されても、ケースが確実に認識され、更にケースの向きが判定されることで缶を良好に特定することができる。これにより、一旦、搬送路から移載した缶でも、所定時間放置後の漏れ検査を実現できることが可能となる。
【０００８】
請求項２記載の密閉缶の検査方法は、複数の缶を梱包したケースを個々に識別し且つ当該ケースの向きを判定して個々の缶にアドレスを定義する工程と、缶の内圧又は内圧に対応する測定対象を測定して各缶の測定値を当該缶のアドレスに対応させてケースに保持させる工程と、当該保持後、ケースを所定時間放置する工程と、所定時間放置後に前記ケースを再度識別し且つ当該ケースの向きを判定して個々の缶の前記アドレスを認識した後、缶の内圧又は内圧に対応する測定対象を再測定する工程と、個々の缶における所定時間放置前後の測定値の差の大きさに基づいてケースの合否を判定する工程とを備えることを特徴とする。
【０００９】
この密閉缶の検査方法では、各缶の内圧又は内圧に対応する測定対象が測定されてその測定値がケースに保持され、所定時間放置後に再び缶の内圧又は内圧に対応する測定対象が再測定されて、それらの測定値の差の大きさから合否が判定される。したがって、個々の缶に元々生じている測定値のばらつきに左右されることなく漏れ検出が行われ、検査精度が高まる。これに加え、ケースが識別されるとともに、ケースの向きが判定されて個々の缶にアドレスが定義され、各缶の測定値がアドレスに対応して保持される。そして、ケースが所定時間放置された後、缶の内圧又は内圧に対応する測定対象が再測定され、個々の缶における所定時間放置前後の測定値の差が求められる。したがって、一旦、搬送路から移載した缶の漏れ検査が、個々の缶に元々生じている測定値のばらつきに左右されることなく良好に行われ、検査精度が高まる。
【００１０】
請求項３記載の密閉缶の検査方法は、請求項１又は２記載の密閉缶の検査方法において、前記保持させる工程は、ケースに対し各缶の測定値を含む検査情報を保持させることを特徴とする。
【００１１】
この密閉缶の検査方法では、ケースに対し各缶の測定値を含む検査情報が保持されるので、種々の情報を確実に保持しておくことができる。
【００１２】
請求項４記載の密閉缶の検査方法は、請求項１から３のいずれか記載の密閉缶の検査方法において、前記保持させる工程は、ケースに対し各缶の測定値を含む検査情報をＱＲコードに変換して保持させることを特徴とする。
【００１３】
この密閉缶の検査方法では、ケースに対し各缶の測定値を含む検査情報がＱＲコードに変換して保持されるので、測定値をアドレスに対応させると、それだけ情報量が多くなるものの、検査情報が多量であっても、良好に且つ確実に保持しておくことができる。また、ケースに直接測定値等のデータを保持させることにより、別の記憶手段（データベース）等が必要ない。また、特定の記憶手段（データベース）を持たないため、ＱＲコードを読み込む手段があれば、記録したデータを参照する場所を問わない。
【００１４】
請求項５記載の密閉缶の検査方法は、複数の缶を梱包したケースを搬送路上で個々に識別し且つ当該ケースの向きを判定して個々の缶にアドレスを定義する工程と、搬送路上で缶の内圧又は内圧に対応する測定対象を測定して各缶の測定値を当該缶のアドレスに対応させて記憶する工程と、搬送路から移載したケースを所定時間放置する工程と、所定時間放置後にケースを搬送路上に移載して前記ケースを識別し且つ当該ケースの向きを判定することで個々の缶の前記アドレスを認識した後缶の内圧又は内圧に対応する測定対象を再測定する工程と、個々の缶における所定時間放置前後の各缶の測定値の差を求め該測定値の差が所定の値より大きい缶を含んだケースを不合格と判定する工程とからなることを特徴とする。
【００１５】
この密閉缶の検査方法では、各缶の内圧又は内圧に対応する測定対象が測定され、所定時間放置後に再び缶の内圧又は内圧に対応する測定対象が再測定されて、その測定値の差から合否が判定される。したがって、個々の缶に元々生じている測定値のばらつきに左右されることなく漏れ検出が行われ、検査精度が高まる。これに加え、ケースが識別されるとともに、ケースの向きが判定されて個々の缶にアドレスが定義され、各缶の測定値がアドレスに対応して記憶される。そして、ケースが所定時間放置された後、缶の内圧又は内圧に対応する測定対象が再測定され、個々の缶における所定時間放置前後の測定値の差が求められる。したがって、一旦、搬送路から移載した缶が放置前後で確実に一致し、高い検査信頼性が得られる。
【００１６】
請求項６記載の密閉缶の検査方法は、請求項１から５のいずれか記載の密閉缶の検査方法において、前記缶の内圧又は内圧に対応する測定対象を測定するに際して、前記缶の上端面までの距離を測定すると共に、缶の下面までの距離を測定し、次いで、当該測定したそれぞれの前記距離の大きさに基づいて缶の測定値を求めることを特徴とする。
【００１７】
この検査方法では、測定された缶の上端面までの距離と下端面までの距離との大きさに基づいて缶の測定値を求めるので、密閉缶を搬送している搬送コンベアが波打った形状で変形したり、密閉缶を収容しているケースの底が凹んでも、それらに拘わることなく密閉缶を正確に測定することができ、良好な測定を行うことができる。
【００１８】
請求項７記載の密閉缶の検査方法は、請求項１から６のいずれかに記載の密閉缶の検査方法において、前記缶をケース内に梱包する前に予め、缶内圧を測定し、この内圧値が所定値以下の缶を排出する工程を有することを特徴とする。
【００１９】
請求項８記載の密閉缶の検査方法は、ケース内に梱包された複数の缶の内圧又は内圧に対応する測定対象を測定した後に、所定時間放置し、その後、再度当該缶の内圧又は内圧に対応する測定対象を測定し、個々の缶における所定時間放置前後の各缶の測定値の差を求め、該測定値の差に基づいて前記ケースの良否を判定する密閉缶の検査方法であって、前記ケース内に複数の缶を梱包する前に予め、缶内圧を測定し、この内圧値が所定値以下の缶を排出する工程を有することを特徴とする。
【００２０】
これらの検査方法では、ケースに梱包する前に予め、缶内圧を測定し、この内圧値が所定値以下の缶を排出する工程を有するので、内圧値が所定値より大きい缶のみがケース内に梱包される。これにより、ケース内に梱包された缶の内圧などを検査する手段の分解能より大きい内圧で、かつ取扱い性などの観点から適切な内圧の缶のみをケース内に梱包することができるので、缶の内圧または内圧に対応する測定対象を確実に測定することができる。
【００２１】
請求項９記載の密閉缶の検査装置は、内容物密封後の複数の缶が収容されたケースを搬送する搬送路と、該搬送路上のケースを個々に識別し且つ当該ケースの向きを判定して個々の缶にアドレスを定義する缶特定手段と、搬送路上で缶の内圧又は内圧に対応する測定対象を測定する測定手段と、各缶の測定値を当該缶のアドレスに対応させて保持する測定値保持処理手段とを具備したことを特徴とする。
【００２２】
この密閉缶の検査装置では、製品密封直後の缶が測定されてその測定値が保持された後、一旦、搬送路からケースが放置場所へ移載され、再び放置場所から搬送路に移載されても、ケースが確実に認識され、更にケースの向きが判定されることでケース内の缶を的確に特定することができる。これにより、一旦、搬送路から移載した缶でも、所定時間放置後の漏れ検査を実現できることが可能となるばかりでなく、他の検査にも利用できることが可能となる。
【００２３】
請求項１０記載の密閉缶の検査装置は、内容物密封後の複数の缶が収容されたケースを搬送する搬送路と、該搬送路上のケースを個々に識別し且つ当該ケースの向きを判定して個々の缶にアドレスを定義する缶特定手段と、缶の内圧又は内圧に対応する測定対象を測定する測定手段と、各缶の測定値を当該缶のアドレスに対応させてケースに保持させる測定値保持処理手段と、ケース内の個々の缶における所定時間放置前後の測定値の差の大きさに基づいて各缶の合否を判定する合否判定手段とを具備したことを特徴とする。
【００２４】
この密閉缶の検査装置では、製品密封直後の缶が測定されてその測定値がケースに保持された後、一旦、搬送路からケースが放置場所へ移載され、再び放置場所から搬送路に移載されても、ケースが認識され、更にケースの向きが判定されて缶を特定することができる。したがって、搬送路から移載された缶が放置前後で確実に一致する。これにより、一旦、缶が測定されたケースを搬送路から降ろして、再び搬送路に載せる不連続な搬送・測定作業が可能となる。この結果、搬送路を使用した生産作業に影響を及ぼすことなく、ケースを所望の時間放置することが可能となり、検査精度が向上する。
【００２５】
請求項１１記載の密閉缶の検査装置は、請求項９又は１０記載の密閉缶の検査装置において、前記測定値保持処理手段は、各缶の測定値を含む検査情報をケースに設けられた表示部に保持させることを特徴とする。
【００２６】
この密閉缶の検査装置では、各缶の測定値を含む検査情報がケースの表示部に保持されるので、ケース毎に内部の缶の情報を確実に保持しておくことができる。
【００２７】
請求項１２記載の密閉缶の検査装置は、検査請求項９から１１のいずれか記載の密閉缶の検査装置において、前記測定値格納手段は、各缶の測定値を含む検査情報をＱＲコードに変換して保持させる機構を具備したことを特徴とする。
【００２８】
この密閉缶の検査装置では、機構により各缶の測定値を含む検査情報がＱＲコードに変換して保持されるので、測定値をアドレスに対応させると、それだけ情報量が多くなるものの、検査情報が多量であっても、良好に且つ確実に保持しておくことができる。
【００２９】
請求項１３記載の密閉缶の検査装置は、内容物密封後の複数の缶が収容されたケースを搬送する搬送路と、該搬送路上のケースを個々に識別し且つ当該ケースの向きを判定して個々の缶にアドレスを定義する缶特定手段と、搬送路上で缶の内圧又は内圧に対応する測定対象を測定する測定手段と、各缶の測定値を当該缶のアドレスに対応させて記憶手段に記憶させる測定値格納処理手段と、缶の前記記憶手段に格納した所定時間放置前における缶の測定値と再測定した缶の測定値との差を求め該測定値の差が所定の値より大きい缶を含んだケースを不合格と判定する合否判定手段との差が所定の値より大きい缶を含んだケースを不合格と判定する合否判定手段とを具備したことを特徴とする。
【００３０】
この密閉缶の検査装置では、製品密封直後の缶の内圧又は内圧に対応する測定対象が測定された後、一旦、搬送路からケースが放置場所へ移載され、再び放置場所から搬送路に移載されても、ケースが認識され、更にケースの向きが判別されることで、缶が特定可能となる。したがって、搬送路から移載された缶が放置前後で確実に一致する。これにより、一旦、缶の内圧又は内圧に対応する測定対象が測定されたケースを搬送路から降ろして、再び搬送路に載せる不連続な搬送・測定作業が可能となる。この結果、搬送路を使用した生産作業に影響を及ぼすことなく、ケースを所望の時間放置することが可能となり、検査精度が向上する。
【００３１】
請求項１４記載の密閉缶の検査装置は、請求項１３記載の密閉缶の検査装置において、前記缶特定手段が前記ケースの向きを前後逆と判定したときに該缶特定手段からの信号を受けて、前記ケースを１８０度回転させて該ケースの向きを前後反転させるターンテーブルを、前記搬送路の該缶特定手段と前記測定手段との間に配設したことを特徴とする。
【００３２】
この密閉缶の検査装置では、缶特定手段がケースの向きを前後逆と判定すると、ターンテーブルが缶特定手段からの信号を受けて、ケースの向きを前後反転させる。これにより、缶内圧又は内圧に対応する測定対象の測定時には、必ずケースの向きが一方向にそろえられ、搬送路から移載した缶が放置前後で確実に一致することになる。
【００３３】
請求項１５記載の密閉缶の検査装置は、請求項１３記載の密閉缶の検査装置において、記缶特定手段が前記ケースの向きを前後逆と判定したときに該缶特定手段からの信号を受けて、前記測定手段が測定した個々の缶における缶の測定値を、前記ケースが正規の向きである場合の缶配列に対応した缶の測定値に並び替える並替手段を、前記測定手段と前記合否判定手段との間に設けたことを特徴とする。
【００３４】
この密閉缶の検査装置では、缶特定手段がケースの向きを前後逆と判定すると、並替手段が缶特定手段からの信号を受けて、個々の缶における缶の測定値を、ケースが正規の向きである場合の缶配列に対応した缶の測定値に並び替える。これにより、同一缶における放置前の缶の測定値と、放置後の缶の測定値とが確実に一致して、比較が可能となる。
【００３５】
請求項１６記載の密閉缶を梱包したケースは、複数の缶を梱包したケースと、当該ケースに設けられ、各缶の内圧情報を有する表示部とを備えることを特徴とする。
この密閉缶を梱包したケースでは、ケースに設けられた表示部が各缶の内圧情報を有するので、梱包されている各缶の情報をケース毎に読み出すことができ、したがって、ケースが移載されたりして移動するのに拘わらず、必要なとき、梱包されている各缶の情報をケース毎に読み出すことができる。
【発明の効果】
【００３６】
本発明に係る請求項１記載の密閉缶の検査方法によれば、ケースにおける各缶の内圧又は内圧に対応する測定対象が測定されたとき、その測定値が保持されるように構成したので、一旦、搬送路からケースが放置場所へ移載され、再び放置場所から搬送路に移載されても、ケースが確実に認識され、更にケースの向きが判定されることで缶を良好に特定することができる結果、搬送路から移載した缶でも、所定時間放置後の漏れ検査を実現できることが可能となる。
【００３７】
請求項２記載の密閉缶の検査方法によれば、各缶の内圧又は内圧に対応する測定対象が測定されてその測定値がケースに保持され、所定時間放置後に再び缶の内圧又は内圧に対応する測定対象が再測定されたとき、それらの測定値の差の大きさからケースの合否が判定されるように構成したので、一旦、搬送路から移載した缶の漏れ検査が、個々の缶に元々生じている測定値のばらつきに左右されることなく良好に行われ、検査精度が高まる。
【００３８】
請求項３記載の密閉缶の検査方法によれば、ケースに対し各缶の測定値を含む検査情報が保持されるので、種々の情報を確実に保持しておくことができる。
【００３９】
請求項４記載の密閉缶の検査方法によれば、ケースに対し各缶の測定値を含む検査情報がＱＲコードに変換して保持されるので、測定値をアドレスに対応させると、それだけ情報量が多くなるものの、検査情報が多量であっても、良好に且つ確実に保持しておくことができる。
【００４０】
請求項５記載の密閉缶の検査方法によれば、各缶の内圧又は内圧に対応する測定対象を測定し、所定時間放置後に再び缶の内圧又は内圧に対応する測定対象を再測定して、その測定値の差から合否を判定するので、個々の缶に元々生じている測定値のばらつきに左右されることなく漏れ検出を行うことができ、検査精度を向上させることができる。そして、ケースを識別するとともにケースの向きを判定して個々の缶にアドレスを定義し、各缶の測定値をアドレスに対応させて記憶し、ケースを所定時間放置した後、缶を再測定し、個々の缶における所定時間放置前後の測定値の差を求めるので、一旦、搬送路から移載した缶を放置前後で確実に一致させることができ、高い検査信頼性を得ることができる。
【００４１】
請求項６記載の密閉缶の検査方法によれば、密閉缶を搬送している搬送コンベアが波打った形状で変形したり、密閉缶を収容しているケースの底が凹んでも、それらに拘わることなく密閉缶を正確に測定することができ、良好な測定を行うことができる。
【００４２】
請求項７および８記載の密閉缶の検査方法によれば、ケース内に梱包された缶の内圧などを検査する手段の分解能より大きい内圧で、かつ取扱い性などの観点から適切な内圧の缶のみをケース内に梱包することができるので、缶の内圧または内圧に対応する測定対象を確実に測定することができる。
【００４３】
請求項９記載の密閉缶の検査装置によれば、製品密封直後の缶が測定されてその測定値が保持された後、一旦、搬送路からケースが放置場所へ移載され、再び放置場所から搬送路に移載されても、ケースが確実に認識され、更にケースの向きが判定されて缶を的確に特定できる結果、搬送路から移載した缶でも、所定時間放置後の漏れ検査を実現できることが可能となるばかりでなく、他の検査にも利用することが可能となる。
【００４４】
請求項１０記載の密閉缶の検査装置によれば、製品密封直後の缶が測定されてその測定値がケースに保持された後、一旦、搬送路からケースが放置場所へ移載され、再び放置場所から搬送路に移載されても、ケースが認識され、更にケースの向きが判定されて缶を特定できるように構成したので、缶が測定されたケースを搬送路から降ろし、再び搬送路に載せる不連続な搬送・測定作業が可能となる結果、搬送路を使用した生産作業に影響を及ぼすことなく、ケースを所望の時間放置することが可能となり、検査精度が向上する。
【００４５】
請求項１１記載の密閉缶の検査装置によれば、各缶の測定値を含む検査情報がケースの表示部に保持されるので、ケース毎に内部の缶の情報を確実に保持しておくことができる。
【００４６】
請求項１２記載の密閉缶の検査装置によれば、機構により各缶の測定値を含む検査情報がＱＲコードに変換して保持されるので、測定値をアドレスに対応させると、それだけ情報量が多くなるものの、検査情報が多量であっても、良好に且つ確実に保持しておくことができる。
【００４７】
請求項１３記載の密閉缶の検査装置によれば、個々の缶にアドレスを定義する缶特定手段と、缶の内圧又は内圧に対応する測定対象を測定する測定手段と、測定値をアドレスに対応させて記憶させる測定値格納処理手段と、所定時間放置前における缶の測定値と再測定した缶の測定値との差を求めて合否判定する合否判定手段とを備えたので、製品密封直後の缶を測定した後、一旦、搬送路からケースを移載し、再び搬送路に移載しても、ケースを認識し、更にケースの向きを判別することで、缶を特定することができる。したがって、搬送路から移載した缶を放置前後で確実に一致させることができる。この結果、一旦、缶を測定したケースを搬送路から降ろして、再び搬送路に載せることが可能となり、搬送路を使用した生産作業に影響を及ぼすことなく、所望時間放置することが可能となり、検査精度を向上させることができる。
【００４８】
請求項１４記載の密閉缶の検査装置によれば、缶特定手段がケースの向きを前後逆と判定したときに缶特定手段からの信号を受けて、ケースの向きを前後反転させるターンテーブルを配設したので、缶の測定時には、必ずケースの向きを一方向にそろえることができ、搬送路から移載した缶を放置前後で確実に一致させることができる。
【００４９】
請求項１５記載の密閉缶の検査装置によれば、缶特定手段がケースの向きを前後逆と判定したときに缶特定手段からの信号を受けて、測定手段が測定した個々の缶における缶の測定値を、ケースが正規の向きである場合の缶配列に対応した缶の測定値に並び替える並替手段を設けたので、所定時間の放置後に再びケースを搬送路に移載しても、同一缶における放置前の測定値と放置後の測定値とを確実に一致させて比較することができる。
【００５０】
請求項１６記載の密閉缶を梱包したケースによれば、ケースが移載されたりして移動するのに拘わらず、必要なとき、梱包されている各缶の情報をケース毎に読み出すことができる。
【発明を実施するための最良の形態】
【００５１】
以下、本発明に係る密閉缶の検査方法及び密閉缶の検査装置の好適な実施の形態を図面を参照して詳細に説明する。
図１は本発明に係る密閉缶の検査装置の第１の実施の形態を表すブロック図である。
本実施の形態による密閉缶の検査装置（以下、単に検査装置と称す）１は、搬送路３と、缶特定手段５と、変形量測定手段７と、測定値格納処理手段９と、記憶手段１１と、合否判定手段１３と、ターンテーブル１５と、駆動制御部１７とを主要な構成として有している。
【００５２】
搬送路３は、無端ベルト２１を駆動モータ２２にて周回させる例えばコンベアによって形成される。図示の例では、無端ベルト２１の上面が図中の右側から左側へと移動される。この無端ベルト２１の搬送方向上流側には、例えば段ボール箱からなるケース２３が載せられる。ケース２３には、コーヒーや低炭酸飲料等の製品（内容物）を充填・密封した缶２５が所定数量収容されている。
【００５３】
この缶２５は、アルミニウム製の陽圧缶或いはスチール製の負圧缶のいずれであってもよい。また、ケース２３は、無端ベルト２１の上流側で、缶２５を収容完了後に、密封されて、梱包が完了している。説明の都合上、図１には缶２５がケース２３の上面で露出している状態を示すが、実際にはケース２３の上面は上蓋等により覆われている。このようにして、搬送路３は、内容物密封後の複数の缶２５が収容されたケース２３を搬送する。
【００５４】
缶特定手段５は、搬送路３の上流側に配設され、搬送路３上のケース２３を個々に識別し且つ当該ケース２３の向きを判定可能としている。缶特定手段５は、認識カメラと、この認識カメラからの撮像データを画像処理するプログラムとにより構成することができる。缶特定手段５は、先ず、ケース２３を特定する。この特定の方法としては、予めケース２３に連番等を印刷等により付し、この番号を認識カメラにより読み込み、その撮像データを画像処理することでケース番号を特定するもの等とすることができる。
【００５５】
また、缶特定手段５は、ケース２３の向きを判定する。この判定の方法としては、予めケース２３の所定位置にマーク２７を印刷等により付し、このマーク２７を認識カメラにより読み込み、その撮像データを画像処理することでケース２３の向きを判定するもの等とすることができる。なお、ケース２３の向きは、通常のケース表面に印刷されている文字、図形、記号等を読み込むことで判定するものであってもよい。
【００５６】
缶特定手段５は、このようにケース２３を特定し、ケース２３の向きを判定することで、ケース２３に収容された個々の缶２５にアドレスを定義することができるようになっている。例えば一番目のケース２３の搬送方向最上段の最左列の缶２５は、「アドレス＝１−１」の如きである。缶特定手段５によって定義されたアドレス信号は、後述の測定値格納処理手段９へと送出される。
【００５７】
変形量測定手段７（測定手段）は、搬送路３における缶特定手段５の下流側に配設される。変形量測定手段７は、ケース２３に電磁波をあて、その反射波を測定することにより、個々の缶２５の内圧を測定する所謂打検を可能としている。
変形量測定手段７によって得られた内圧の値は、後述の測定値格納処理手段９へと送出される。
【００５８】
測定値格納処理手段９は、缶特定手段５から送られるアドレス信号と、変形量測定手段７から送られる缶内圧値信号とを対応させて記憶手段１１に記憶させる。即ち、記憶手段１１には、図１に示すように、缶アドレス（例えば、「１−１」）に対応した缶内圧値（例えば、「１．８」）が格納されていく。
【００５９】
ターンテーブル１５は、搬送路３の缶特定手段５と変形量測定手段７との間に配設される。ターンテーブル１５は、缶特定手段５が、ケース２３の向きを前後逆と判定したときに、駆動制御部１７を介して缶特定手段５からの信号を受けて、反転駆動モータ３１を回転し、ケース２３を１８０度回転させて、ケース２３の向きを前後反転させるようになっている。これにより、缶内圧の測定時には、必ずケース２３の向きが一方向にそろうようになっている。
【００６０】
後述するように、検査装置１では、一回目の缶内圧測定が完了したなら、一旦、ケース２３が搬送路３から図６に示すようにパレット３１等に移載されて、倉庫等の保管場所等で所定時間（７日程度）放置される。放置されたケース２３は、再びパレット３１から搬送路３に移載されて、二回目の缶内圧測定が行われる。図６は、複数のケース２３をパレット３１に移載した状態を示している。
【００６１】
合否判定手段１３は、記憶手段１１に格納した所定時間放置前における缶内圧値と、所定時間放置後に再測定した缶内圧値との差を求め、この内圧差が所定の値より大きい缶２５を含んだケース２３を不合格と判定する。
【００６２】
上記した缶特定手段５、変形量測定手段７、測定値格納処理手段９、合否判定手段１３は、認識カメラや電磁測定部以外の信号処理部に、プログラマブルシーケンサーや、コンピュータに格納されたプログラムを用いることができる。
なお、図１において、符号４１は変形量並替手段であり、後述する。
【００６３】
次に、上記の構成を有する検査装置１を用いた密閉缶の検査方法の手順を説明する。
図２は放置前の缶内圧測定手順を表したフローチャート、図３は放置後の缶内圧測定手順を表したフローチャート、図４は放置前後の内圧から内圧差、判定結果を得るまでの動作説明図である。
先ず、放置前の缶内圧測定を行うには、搬送路３にてケース２３を搬送し、缶特定手段５を通過させることにより、ケース２３を識別（ｓｔ１）し、ケース２３の向きを判定する（ｓｔ３）。これにより、個々の缶２５にアドレスを定義する。
【００６４】
次いで、変形量測定手段７を通過させることで、搬送路３上で缶内圧を測定し（ｓｔ５）、図４（ａ）に示すように、各缶の測定内圧値を当該缶２５のアドレスに対応させて、記憶手段１１に記憶する（ｓｔ７）。この動作を所定数のケース分だけ繰り返す（ｓｔ９）。一回目の測定が終了したケース２３は、搬送路３の終端から順次図６に示すパレット３１等へと移載する。パレット３１へ移載されたケース２３は、倉庫へ搬送し、所定時間放置する（ｓｔ１１）。
【００６５】
所定時間放置後に缶内圧を再測定するには、倉庫からパレットを搬出し、パレット上のケース２３を再び搬送路３上に移載する。搬送路３上のケース２３は、缶特定手段５を通過させることで、ケース２３を識別し（ｓｔ１３）、且つ当該ケース２３の向きを判定する（ｓｔ１５）。なお、向き判定の際に、ケース２３の向きが前後逆と判定されたなら（ｓｔ１７）、ターンテーブル１５を駆動し、ケース２３を１８０度回転させて（ｓｔ１９）、ケース２３の向きを前後反転させる。これにより、個々の缶２５のアドレスを認識する。
【００６６】
ケース２３の向きが一方向にそろえられたなら、変形量測定手段７を通過させることにより、缶内圧を再測定し（ｓｔ２１）、図４（ｂ）に示す測定値を得る。
次いで、図４（ｃ）に示すように、個々の缶２５における所定時間放置前後の缶内圧値の差を求める（ｓｔ２３）。合否判定手段１３は、予め設定した所定値（例えば、０．２ｋｇ／ｃｍ２（１．９６×１０４Ｐａ））と、この内圧差とを比較し（ｓｔ２５）、図４（ｄ）に示すように、内圧差が所定の値より大きい缶２５を含んだケース２３を不合格と判定する（ｓｔ２７）。この処理を所定数のケース分繰り返し（ｓｔ２９）、密閉缶の漏れ検査を終了する。
【００６７】
この密閉缶の検査方法によれば、各缶２５の内圧が測定され、所定時間放置後に再び缶２５の内圧が再測定されて、その内圧差から合否が判定され、個々の缶２５に元々生じている内圧値のばらつきに左右されることなく漏れ検出が行われ、検査精度が高まる。これに加え、ケース２３が識別されるとともに、ケース２３の向きが判定されて個々の缶２５にアドレスが定義され、各缶２５の測定内圧値がアドレスに対応して記憶される。そして、ケース２３が所定時間放置された後、缶２５の内圧が再測定され、個々の缶２５における所定時間放置前後の内圧差が求められる。したがって、一旦、搬送路３から移載した缶２５が放置前後で確実に一致し、高い検査信頼性が得られる。
【００６８】
次に、上記した実施の形態の変形例を図１を用いて説明する。
この変形例に係る密閉缶の検査装置は、変形量並替手段４１を、変形量測定手段７と合否判定手段１３との間に設けている。変形量並替手段４１は、缶特定手段５がケース２３の向きを前後逆と判定したときに、缶特定手段５からの信号を受けて、変形量測定手段７が測定した個々の缶２５における缶内圧値を、ケース２３が正規の向きである場合の缶配列に対応した缶内圧値に並び替える。この並び替えは、プログラムによる信号処理で行われる。
【００６９】
したがって、この変形例による検査装置によれば、缶特定手段５がケース２３の向きを前後逆と判定すると、個々の缶２５における缶内圧値を、ケース２３が正規の向きである場合の缶配列に対応した缶内圧値に並び替えるので、同一缶２５における放置前の缶内圧値と、放置後の缶内圧値とが確実に一致して比較可能となる。このため、ターンテーブル１５を省略して、装置構成を簡素なものにすることができる。
【００７０】
また、上記実施の形態において、変形量測定手段７が、缶２５の内圧を測定することで漏れ検査するように構成した例を示したが、図５に示す測定方法を採用することで検査することもできる。
即ち、図５において、缶２５が無端ベルト２１によって搬送されて通過するとき、第１センサ５１が缶２５の缶蓋である上端面までの距離Ａを測定する一方、第２センサ５２が缶底である下端面までの距離Ｂを測定する。このとき、第１センサ５１の測定信号と第２センサ５２の測定信号に基づき、変形量測定手段７が缶２５の高さ寸法、つまり実質長さＣを測定する。
【００７１】
この場合、第１センサ５１及び第２センサ５２は、図示しない支持体により支持されることで、互いの距離Ｄが一定となるように固定され、例えばレーザ光を利用したレーザセンサ、或いは単なる光を照射して反射させるビーム式のセンサから構成されているが、それ以外として、例えばアルミニウムや鉄などのような導体からなる缶２５が近づくと、当該缶２５に発生する渦電流によって磁束が生じてコイルのインピーダンスが変化することから、缶２５との間の距離を測定できる渦電流式で構成してもよい。
【００７２】
このように、第１センサ５１が缶２５の上端面までの距離を測定する一方、第２センサ５２が缶２５の下端面までの距離を測定すると、缶２５を搬送している無端ベルト２１に凹凸が生じたり段ボールからなるケース２３の底が凹んだりして変形している場合、その変形によって第１センサ５１の測定値がＡからＡ′に変化すると共に、第２センサ５２の測定値がＢからＢ′に変化するものの、缶２５の実質長さＣを正確に求めることができるので、その大きさに基づいて内圧の変化を正確に求めることができる。これにより、無端ベルト２１やケース２３の変動に拘わることなく、缶２５の漏れ検査を正確に行うことができ、検査装置１としての信頼性が高まる。
【００７３】
また、上記実施の形態において、変形量測定手段７が、缶２５の内圧を電磁波により測定するように構成したが、この手段に限定する必要はなく、例えば缶蓋の膨らみ具合、缶腹部の膨らみ具合等の変化を各種の測定方法により測定して検査対象値を求めることでも漏れ検査を行うことができ、要は、缶の内圧又は内圧に対応した測定対象を適宜測定すればよい。
【００７４】
図７から図９は、本発明に係る密閉缶の検査装置の第２の実施の形態を示している。
前述した第１の実施の形態では、最初、ケース２３内の各缶の内圧が測定されると、その測定値が全て測定値格納処理手段９によって記憶手段１１に記憶された例を示したが、この実施形態においては、その測定値がケース２３に保持されるようにしたものである。
【００７５】
即ち、この実施形態において、缶特定手段５によってケース２３を識別し且つ缶のアドレスを定義した後、図８に示すように、第１センサ５１と第２センサ５２とがケース２３内の缶２５を測定し、且つそれらの測定信号に基づき図７に示す変形量測定手段７が各缶のアドレスに対応させて一回目の内圧を測定すると、測定値保持処理手段２８がその測定値をケース２３に保持させる。この場合、測定値保持処理手段２８は、ケース２３の各缶２５の一回目の測定を行ったとき、その測定値が例えば図８に示すように、ケース２３に設けられた表示部３０に印字機構２９によって各缶のアドレスに対応させて印字されることで、ケース２３に各缶２５の測定値が保持される。
【００７６】
この場合、表示部３０に対しては、個々の缶２５のアドレス及び内圧の測定値を含むのは勿論、例えば図９に示すように、「ケース番号」、「缶番号」、「検査日付・時刻」等の詳細な検査情報をも保持できるようすることが好ましく、そのため、バーコードより多量の検査情報を保持できるようにＱＲコードに変換して印字されている。印字機構２９は、測定値保持処理手段２８からの指令に基づきＱＲコードに変換して印字するようになっている。
【００７７】
上記ＱＲコードは、図示していないが、縦方向及び横方向の二次元コードであって、バーコードと同じ情報量に比較して約１０分の１程度の大きさで表現することができ、しかもＪＩＳ第一・第二水準の漢字やかなを効率的に表現することができると共に、数字なら最大約７千桁の情報をコード化することもでき、その上、最大３０％が破損・汚損しても、読み取ることができる読み出し再生力に優れている。
なお、図８では、図示説明の都合上、缶２５がケース２３の上方に表れたように描かれている。
【００７８】
このように、一回目の内圧がケース毎に測定された後、ケース２３がパレット３１（図６参照）に移載され、且つ所定時間放置された後、パレット３１から搬送路３に移載されて、二回目の缶内圧測定が行われる。
この場合、二回目の缶内圧測定が行われたとき、合否判定手段１３は、図示しないコード読取り機構によってケース２３の表示部３０に保持された検査情報かから一回目の測定値を読み出す一方、その一回目の測定値と二回目の測定値から内圧差を求め、該内圧差を所定値と比較することで、内圧差が大きい缶２５を含んだケース２３を不合格と判定し、これによって密閉缶の漏れ検査を行うようになっている。
【００７９】
したがって、この検査装置１は、図７に示すように、搬送路３と、缶特定手段５と、変形量測定手段７と、合否判定手段１３と、ターンテーブル１５と、駆動制御部１７との他、測定値保持処理手段２８と、搬送路３上に設けられた印字機構２９及び図示しないコード読取り機構とを主要な構成としている。
【００８０】
この密閉缶の検査方法によれば、まず、ケース２３内の各缶２５の内圧が測定されたとき、その一回目の測定値を各缶のアドレスに対応させて保持させるように構成したので、製品密封直後の缶が測定されてその測定値がケース２３に保持された後、一旦、搬送路３からケース２３が放置場所へ移載され、再び放置場所から搬送路３に移載されても、ケース２３を的確に認識することができ、更にケース２３の向きが判定されることで缶２５を良好に特定することができる。これにより、一旦、搬送路３から移載した缶２５でも、所定時間放置後の漏れ検査を実現することができ、高い検査信頼性が得られる。
【００８１】
その上、ケース２３に一回目の測定値を保持させておくと、その保持した情報を読み出すことで、ピンホール検査以外の他の検査にも利用することができる。即ち、このようにケース２３に設けられた表示部３０が各缶２５の内圧情報を有すると、ケース２３が移載されたりしてするのに拘わらず、必要なとき、梱包されている各缶２５の情報をケース２３毎に読み出すことができる。そのため、ケース２３を開封しない状態での他の検査等にも有効に利用できる。しかも前述した第一の実施の形態のように一回目の測定データを記憶手段１１に記憶させておくことが不要になるので、記憶手段１１としてハードディスク等のような大容量を必要とする記憶媒体が不要になる。
【００８２】
また、この検査方法は、ケース２３の表示部３０に各缶の測定値を含む検査情報が保持されるので、種々の情報を良好に保持しておくことができる。これに加え、表示部３０には測定値を含む検査情報がＱＲコードに変換して保持されるので、測定値をアドレスに対応させると、それだけ情報量が多くなるものの、検査情報が多量であっても、良好に且つ確実に保持しておくことができ、容易に対処することができる。そして、保持に際しては、ケース２３に設けられた表示部３０に印字機構２９によって印字されることで検査情報を容易に印字できるので、保持処理を速やかに行うこともできる。
【００８３】
そして、この密閉缶の検査装置１によれば、製品密封直後の缶２５が測定されてその測定値がケースに保持された後、一旦、搬送路３からケース２３が放置場所へ移載され、再び放置場所から搬送路３に移載されても、ケース２３が認識され、更にケースの向きが判定されて缶を特定できる方法を実現することができる。したがって、搬送路３から離れて再び戻されても、搬送路３から移載された缶２５が放置前後で確実に一致する。これにより、一旦、缶２５が測定されたケース２３を搬送路３から降ろして、再び搬送路３に載せる不連続な搬送・測定作業を行える結果、基本的には第１の実施の形態と同様の作用効果が得られる。
【００８４】
なお、第２の実施の形態において、一回目の測定値をケース２３に保持させるため、ケース２３に予め貼着されている表示部３０に印字した例を示したが、これに限らず、例えば、表示部３０に印字した後にこの表示部３０をケース２３に貼着してもよく、また、表示部３０を介さず直接ケース２３に印字してもよい。この印字を行う印字機構２９として、例えば、インクジェットを採用することができる。また、表示部３０に印字機構２９によって印字される例を示したが、他の手段によって保持させてもよい。つまり、第２の実施形態で述べた保持とは、表示部３０などのような紙葉類への印刷のみならず、例えばマイクロチップ等を利用して電気的に記憶させることを含んでいる。
更に、変形量測定手段７が第１センサ５１の測定信号と第２センサ５２の測定信号に基づいて実質長さＣを測定することで測定値が得られるように構成した例を示したが、第１の実施形態と同様に構成することで缶の内圧を測定するようにしてもよいのは勿論である。
【００８５】
また、前述した第１，第２実施形態では、ケース２３内に缶２５を梱包した後の缶内圧を測定する方法を示したが、ケース２３内に缶２５を梱包する前に予め、各缶２５の内圧を測定し、この内圧値が所定値以下の缶を排出するようにしてもよい。この場合、内圧値が所定値より大きい缶のみがケース２３内に梱包されることになるので、前述した第１，第２実施形態で示した測定方法（以下、単に「Ｃ検」という）による内圧の分解能より大きく、かつ取扱いなどの観点から適切な内圧の缶のみをケース２３内に梱包することが可能になる。これにより、適切な内圧の缶について、前記Ｃ検によりリーク発生の有無を検査することができ、したがって、このＣ検によって、リークが発生しておらず、かつ取扱いなどの観点から適切な内圧の缶を確実に判別することができる。
【００８６】
なお、ケース２３内に梱包する前に缶２５の内圧を検査する手段として、例えば、接触子により缶２５の胴部を押圧し、この際に前記接触子が受けた反力をロードセルが検出して缶内圧を検査する、いわゆるＢ検によって行う方法がある。
【産業上の利用可能性】
【００８７】
一旦、搬送路からケースが放置場所へ移載され、再び放置場所から搬送路に移載されても、ケースが確実に認識され、更にケースの向きが判定されることで缶を良好に特定することができる結果、搬送路から移載した缶でも、所定時間放置後の漏れ検査を実現できることが可能となる。
【図面の簡単な説明】
【００８８】
【図１】本発明に係る密閉缶の検査装置の第１の実施形態の概念を表すブロック図である。
【図２】放置前の缶内圧測定手順を表したフローチャートである。
【図３】放置後の缶内圧測定手順を表したフローチャートである。
【図４】放置前後の内圧から内圧差、判定結果を得るまでの動作説明図である。
【図５】本発明に係る密閉缶の測定方法の概念を示す説明図である。
【図６】ケースをパレットに移載した状態を示す斜視図である。
【図７】本発明に係る密閉缶の検査装置の第２の実施形態を示すブロック図である。
【図８】検査装置がケースに測定値を保持する状態を示す説明図である。
【図９】ケースに各缶の測定値を保持した状態を示す説明図である。
【符号の説明】
【００８９】
１…密閉缶の検査装置
３…搬送路
５…缶特定手段
７…変形量測定手段（測定手段）
９…測定値格納処理手段
１１…記憶手段
１３…合否判定手段
１５…ターンテーブル
２３…ケース
２５…缶
２８…測定値保持処理手段
２９…印字機構
３０…表示部
４１…変形量並替手段
【図１】
2004317479.tif 000003
【図２】
2004317479.tif 000004
【図３】
2004317479.tif 000005
【図４】
2004317479.tif 000006
【図５】
2004317479.tif 000007
【図６】
2004317479.tif 000008
【図７】
2004317479.tif 000009
【図８】
2004317479.tif 000010
【図９】
2004317479.tif 000011